(57)【要約】【課題】融雪ネットの固定作業などを簡単且つ確実に行うことができ、軒樋への枯葉等の侵入も防止することができる融雪ネット固定構造と、これに用いる軒樋吊具及び棒状体支持具を提供する。【解決手段】後端の取付片１ａから前方へ延びる軒樋支持アーム１ｂに棒状体受部１ｃを上向きに突設した構成の軒樋吊具１を用いて、この軒樋吊具１の取付片１ａを軒先に固定し、軒先の屋根６から垂れ下がった通電により発熱する融雪ネット２の網目に上記の棒状体受部１ｃを下方から挿入すると共に、この融雪ネット２の上側から棒状体３を棒状体受部１ｃに嵌着した融雪ネット固定構造とする。取付片をアーム後端に、棒状体受部をアーム先端に形成した構成の棒状体支持具を用いて、これを軒際に取付け、棒状体受部を融雪ネットの網目に下方から挿入して上側から棒状体を嵌着した融雪ネット固定構造としてもよい。【選択図】  図１
2005009269.tif 000002
【特許請求の範囲】
【請求項１】
後端の取付片から前方へ延びる軒樋支持アームに棒状体受部を上向きに突設してなる軒樋吊具の上記取付片を軒先に固定し、軒先の屋根から垂れ下がった通電により発熱する融雪ネットの網目に上記棒状体受部を下方から挿入すると共に、この融雪ネットの上側から棒状体を上記棒状体受部に嵌着したことを特徴とする融雪ネット固定構造。
【請求項２】
軒先に取付けた棒状体支持具の先端の棒状体受部を、軒先の屋根から垂れ下がった通電により発熱する融雪ネットの網目に下方から挿入すると共に、この融雪ネットの上側から棒状体を上記棒状体受部に嵌着したことを特徴とする融雪ネット固定構造。
【請求項３】
棒状体として棒状ヒーターを棒状体受部に嵌着した請求項１又は請求項２に記載の融雪ネット固定構造。
【請求項４】
融雪ネットが、軒樋の上端開口部のほぼ全体を覆うように軒先の屋根から丸く垂れ下がっている請求項１又は請求項２に記載の融雪ネット固定構造。
【請求項５】
棒状体支持具の後端の取付片を軒樋吊具の後端の取付片に重ねて軒先に取付けた請求項２に記載の融雪ネット固定構造。
【請求項６】
後端の取付片から前方へ延びる軒樋支持アームに、棒状体を嵌着する棒状体受部であって融雪ネットの網目に挿入可能な棒状体受部を上向きに突設したことを特徴とする軒樋吊具。
【請求項７】
軒樋支持アームに棒状体受部を脱着可能に突設した請求項６に記載の軒樋吊具。
【請求項８】
取付片をアームの後端に形成し、棒状体を嵌着する棒状体受部であって融雪ネットの網目に挿入可能な棒状体受部をアームの先端に上向きに形成したことを特徴とする棒状体支持具。
【発明の詳細な説明】
【０００１】
【発明の属する技術分野】
本発明は、融雪ネットの固定を簡単且つ確実に行うことができる融雪ネット固定構造と、これに用いる軒樋吊具及び棒状体支持具に関する。
【０００２】
【従来の技術】
軒樋の融雪構造として、軒先に固定された軒樋吊具から支持片を立上げ、この支持片の上端に板状の雪除けカバー材を固定すると共に、融雪用のヒーターを該雪除けカバー材に取付けたものが知られている（例えば特許文献１，特許文献２参照）。
【０００３】
また、軒先に固定された軒樋吊具に半円弧状の係止突部を上向きに設け、円筒状に丸めた枯葉除けネットを該係止突部の内側に嵌め込み、該係止突部の両端から内側に突設した係止爪を枯葉除けネットの網目に係止させて取付けた枯葉除けネット取付構造も知られている（例えば特許文献３参照）。
【０００４】
【特許文献１】
特開２００３−１３５６７号公報（第１頁、第１図）
【特許文献２】
特開２０００−２８２６３６号公報（第１頁、第１図）
【特許文献３】
特開平１１−２８０２１５号公報（第１頁、第１図）
【０００５】
【発明が解決しようとする課題】
しかしながら、上記の融雪構造は、軒樋吊具の支持片上端に板状の雪除けカバー材を固定する作業や、雪除けカバー材にヒーターを取付ける作業が面倒であるため、施工性が良くないという問題があった。また、雪除けカバー材と軒先の屋根との隙間や、雪除けカバー材と軒樋の前側板上端との隙間から枯葉等が軒樋に入ると、雪除けカバー材が邪魔になって枯葉等を除去しにくいという問題もあった。
【０００６】
一方、上記の枯葉除けネット取付構造を上記の融雪構造に採用することによって、円筒状に丸めた雪除けカバーネットを軒樋吊具の係止突部に取付け、この雪除けカバーネットにヒーターを取付けた構造とする場合は、雪除けカバーネットの取付作業が簡単になり、軒樋への枯葉等の侵入も防止できるようになる。けれども、雪除けカバーネットを半円弧状の係止突部の内側に嵌め込み、係止突部両端の係止爪を網目に係止させて取付けるだけでは雪除けカバーネットが係止突部から外れやすいため、強風等によって雪除けカバーネットが脱落、飛散する恐れが多分にあり、また、この雪除けカバーネットは円筒状に丸められてヒーターを取付ける作業が面倒であるため、施工性の大幅な向上を期待し難いという問題もある。
【０００７】
本発明は上記の問題に対処すべくなされたもので、その目的とするところは、融雪ネットの固定作業などを簡単且つ確実に行うことができ、軒樋への枯葉等の侵入も防止することができる融雪ネット固定構造と、これに用いる軒樋吊具及び棒状体支持具を提供することにある。
【０００８】
【課題を解決するための手段】
上記目的を達成するため、本発明に係る融雪ネット固定構造は、後端の取付片から前方へ延びる軒樋支持アームに棒状体受部を上向きに突設してなる軒樋吊具の該取付片を軒先に固定し、軒先の屋根から垂れ下がった通電により発熱する融雪ネットの網目に上記の棒状体受部を下方から挿入すると共に、この融雪ネットの上側から棒状体を上記の棒状体受部に嵌着したことを特徴とするものである。ここに「棒状体」とは、中実の棒状体のほかに中空の管状体（パイプ）等も包含する広い概念の用語である。
【０００９】
この融雪ネット固定構造では、融雪ネットの網目に軒樋吊具の棒状体受部を下方から挿入して該ネットの上側から棒状体を棒状体受部に嵌着するだけの作業により、軒先の屋根から垂れ下がった融雪ネットを簡単に固定することができ、棒状体によって上側から融雪ネットを全長にわたって押さえるため、融雪ネットを外れないように確実に固定することができる。しかも、通電により発熱する融雪ネットを取付固定するため、従来の融雪構造のようにヒーターを取付けることも不要となる。従って、この融雪ネット固定構造は施工性が良好である。
【００１０】
また、この融雪ネット固定構造は、棒状ヒーターを棒状体受部から外すだけで融雪ネットの固定を解除できるため、夏季などの降雪の心配がない陽射しの強い季節には融雪ネットを簡単に取り外して屋内に収納保管することにより融雪ネットの劣化を防止することができ、融雪ネットの取り替え作業なども容易に行うことができる。
【００１１】
上記目的を達成する本発明のもう一つの融雪ネット固定構造は、軒先に取付けた棒状体支持具の先端の棒状体受部を、軒先の屋根から垂れ下がった通電により発熱する融雪ネットの網目に下方から挿入すると共に、この融雪ネットの上側から棒状体を上記棒状体受部に嵌着したことを特徴とするものである。
【００１２】
この融雪ネット固定構造も、軒先に取付けた棒状体支持具の先端の棒状体受部を融雪ネットの網目に下方から挿入して該ネットの上側から棒状体を棒状体受部に嵌着するだけの簡単な作業によって融雪ネットを外れないように確実に固定することができ、ヒーターの取付けも不要であるため施工性が良好である。そして、棒状体を棒状体受部から外せば、融雪ネットを簡単に取り外すことができる。
【００１３】
本発明の融雪ネット固定構造においては、軒樋吊具又は棒状体支持具の棒状体受部に棒状体として棒状ヒーターを嵌着することが望ましい。このように棒状ヒーターを嵌着すると、融雪効率が一層向上することに加えて、融解された雪溶け水が融雪ネットを伝うことにより融雪ネットの最下端で発生しやすい氷柱も確実に防止することができる。
【００１４】
また、本発明の融雪ネット固定構造においては、融雪ネットが軒樋の上端開口部のほぼ全体を覆うように丸く垂れ下がっていることが望ましい。このようにすると、軒樋の上端開口部のほぼ全体を覆う融雪ネットによって軒樋に雪が直接積もることがなくなるので、軒樋への荷重負担が軽減し、また、軒樋への枯葉等の侵入も阻止されるため、枯葉等によって排水が妨げられる心配もなくなる。
【００１５】
棒状体支持具を用いた後者の融雪ネット固定構造では、棒状体支持具の後端の取付片を軒樋吊具の後端の取付片に重ねて軒先に取付けることが望ましい。このようにすると、軒樋吊具と棒状体支持具の取付作業を同時に行うことができるので施工性が向上すると共に、棒状体支持具が単独で見えることもないので体裁が良くなる。
【００１６】
本発明の軒樋吊具は、後端の取付片から前方へ延びる軒樋支持アームに、棒状体を嵌着する棒状体受部であって融雪ネットの網目に挿入可能な棒状体受部を上向きに突設したことを特徴とするものである。
【００１７】
このような軒樋吊具は、上述したように棒状体受部を融雪ネットの網目に下方から挿通すると共に、融雪ネットの上方から棒状体を棒状体受部に嵌着することにより、融雪ネットを簡単且つ確実に固定することができる。
【００１８】
本発明の軒樋吊具においては、棒状体受部を脱着自在に突設することが望ましい。このような軒樋吊具は、棒状体受部を取り外すことにより普通の軒樋吊具として兼用でき、また、棒状体受部が破損しても容易に取り替えることができる。
【００１９】
本発明の棒状体支持具は、取付片をアームの後端に形成し、棒状体を嵌着する棒状体受部であって融雪ネットの網目に挿入可能な棒状体受部をアームの先端に上向きに形成したことを特徴とするものである。
【００２０】
このようなネット固定具は、後端の取付片を軒先に取付けると共に、先端の棒状体受部を融雪ネットの網目に下方から挿通して融雪ネットの上方から棒状体を棒状体受部に嵌着することにより、融雪ネットを簡単且つ確実に固定することができる。
【００２１】
【発明の実施の形態】
以下、図面を参照して本発明の具体的な実施形態を詳述する。
【００２２】
図１は本発明の一実施形態に係る融雪ネット固定構造の説明図、図２は同融雪ネット固定構造に用いる本発明の軒樋吊具の斜視図である。
【００２３】
この融雪ネット固定構造は、軒樋吊具１の後端の取付片１ａを軒先の破風板５に止具（不図示）で固定し、軒樋吊具１の軒樋支持アーム１ｂに上向きに突設したＵ字状の棒状体受部１ｃを、軒先の屋根６から丸く垂れ下がった融雪ネット２の網目に下方から挿入すると共に、この融雪ネット２の上側から棒状体として棒状ヒーター３を棒状体受部１ｃに嵌着することにより、融雪ネット２の下端部を棒状ヒーター３で押さえて固定したものである。
【００２４】
この融雪ネット固定構造に用いる軒樋吊具１はポリカーボネート等の合成樹脂で一体に射出成形されたものであって、図１、図２に示すように、後端の取付片１ａから前方へ延びる軒樋支持アーム１ｂに、棒状体（棒状ヒーター３）を嵌着するためＵ字状の棒状体受部１ｃが上向きに突設されている。このＵ字状の棒状体受部１ｃは、融雪ネット２の網目に挿入可能な大きさ、即ち、棒状体受部１ｃの全体が融雪ネット２の一つの網目に挿入できる大きさか、或いは、棒状体受部１ｃの両側片が融雪ネット２の隣接する二つの網目にそれぞれ挿入できる大きさに形成されている。
【００２５】
この軒樋吊具１は、融雪ネット２の網目に棒状体受部１ｃを付根部分まで深く挿入できるように、軒樋支持アーム１ｂの上面に形成した弓状ブリッジ部１ｄから上向きにＵ字状の棒状体受部１ｃを突設し、棒状体受部１ｃの下端部（付け根部分）が軒樋支持アーム１ｂの最も高い後端部と略同じ高さになるようにしている。
【００２６】
尚、上記の弓状ブリッジ部１ｄに代えて軒樋支持アーム１ｂから上向きの突片を形成し、この突片の上端にＵ字状の棒状体受部１ｃを形成してもよいが、そのようにすると突片が折損する恐れがあるので、この実施形態の軒樋吊具１のように軒樋支持アーム１ｂに弓状ブリッジ部１ｄを形成し、この弓状ブリッジ部１ｄからＵ字状の棒状体受部１ｃを突設して強度を高めることが望ましい。
【００２７】
また、図示はしていないが、Ｕ字状の棒状体受部１ｃの両側片をもう少し上方に延設すると共に、両側片の上端部を若干内側に曲げて押さえ部を形成し、この押さえ部で棒状ヒーター３を押さえることによって、融雪ネット３に上向きの力が作用したときに棒状ヒーター３が棒状体受部１ｃから上方に抜け出さないようにすることも望ましい。このように棒状体受部１ｃの両側片の上端部に押さえ部を形成しても、両側片を外側に弾性的に拡開しながら棒状ヒーター３を嵌着できるので、棒状ヒーター３の取付作業に支障をきたす心配はない。
【００２８】
図１、図２に示すように、軒樋吊具１の軒樋支持アーム１ｂの先端には、軒樋４の前側板４ａの内面に部分的に当接する当接片１ｅが形成されており、この当接片１ｅの上端には、軒樋の前側板４ａ上端の前耳部４ｂを支持する前耳支持部１ｆが形成されている。また、軒樋支持アーム１ｂの下面側後端近くには、軒樋４の後側板４ｃ上端の後耳部４ｄを支持する後耳支持部１ｇが形成されている。従って、軒樋４は、その前耳部４ｂと後耳部４ｄが軒樋吊具１の前耳支持部１ｆと後耳支持部１ｇによって下方から支持されると共に、風圧で軒樋４が上方に煽られることのないように軒樋前側板４ａの中間段部４ｅが軒樋吊具１の当接片１ｅの下端により押さえられた状態で吊持されている。
【００２９】
融雪ネット２は、通電により１０〜２５℃に発熱するネットが適しており、例えば、アラミド等の耐熱性樹脂繊維とステンレス等の金属繊維との混合繊維からなる発熱線で製網したネットや、耐熱性樹脂で金属線を被覆してなる発熱線で製網したネットなどが好ましく使用される。
【００３０】
この融雪ネット２は、図１に示すように、袋状に折り返したネット上端縁２ａとネット下端縁２ｂにパイプなどの棒状体３０，３１を挿通して、軒先の屋根６の上に敷設し、ネット上端縁２ａの棒状体３０を取付具（不図示）で屋根６に固定している。そして、軒先の屋根６から融雪ネット２を丸く垂れ下がるようにして、融雪ネット２の網目に軒樋吊具１のＵ字状の棒状体受部１ｃを下方から挿入すると共に、融雪ネット２の上方から棒状ヒーター３を棒状体受部１ｃに嵌着することによって、融雪ネット２の下部を棒状ヒーター３で押さえて固定し、更にネット下端縁２ｂの棒状体３１を破風板５に固定して、融雪ネット２を取付けている。
【００３１】
図１に示す実施形態では、Ｕ字状の棒状体受部１ｃの両側片を融雪ネット２の隣接する二つの網目に下方からそれぞれ挿入し、融雪ネット２の一本の網糸（発熱線）を棒状体ヒーター３と棒状体受部１ｃの低部とで上下から挟持して固定しているが、棒状体受部１ｃを融雪ネット２の一つの網目に下方から挿入し、融雪ネット２の上側から棒状体ヒーター３を棒状体受部１ｃに嵌着して融雪ネット２が浮き上がらないように固定してもよい。
【００３２】
軒樋吊具１の棒状体受部１ｃに嵌着する棒状ヒーター３としては、例えば鞘管の内部に金属等の抵抗発熱体よりなる線材を挿通し、線材と鞘管との隙間を電気絶縁体で充填したものなどが好ましく使用される。かかる棒状ヒーター３は、通電する電流値を制御することにより、鞘管表面の温度を４０℃付近まで上昇させることが好ましい。このような棒状ヒーター３を軒樋吊具１の棒状体受部１ｃに嵌着すると、融雪効率が一層向上すると共に、融解された雪溶け水が融雪ネット２を伝うことにより融雪ネット２の最下端で発生しやすい氷柱を確実に防止できる利点がある。
【００３３】
また、融雪ネット２の袋状に折り返した上端縁２ａ及び下端縁２ｂに挿通する棒状体３０，３１として、上記と同様の棒状ヒーターを使用してもよく、その場合は融雪効率が更に向上する利点がある。
【００３４】
以上のような融雪ネット固定構造は、融雪ネット２を簡単かつ確実に固定することができ、融雪ネット２を通電、発熱させることにより屋根６の雪を溶かして軒樋４を通じて排水することができる。そして、棒状ヒーター３によって融雪効率を高めると共に、融雪ネット２の最下端からの氷柱の発生を防止することができる。
【００３５】
尚、融雪ネット２の下端縁２ｂは、必ずしも図１に示す実施形態のように袋状に折り返して棒状体３１を挿通して破風板５に固定する必要はなく、軒樋吊具１の棒状体受部１ｃのところまで融雪ネット２の下端縁２ｂを丸く垂下させ、該下端縁２ｂの網目に棒状体受部１ｃを下方から挿通して棒状ヒーター３を嵌着することにより固定しても勿論よい。このようにしても、融雪ネット２の下端縁２ｂが棒状ヒーター３で押さえられて確実に固定されるため、融雪ネット２が強風等で捲れたり飛散することはない。
【００３６】
また、図１に示す実施形態では、軒先の屋根から丸く垂れ下がった融雪ネット２と軒樋４の前耳部４ｂとの間にかなり大きい隙間をあけているが、融雪ネット２をもう少し前方へ突き出し、丸く垂れ下がった融雪ネット２の下部によって軒樋４の上端開口部のほぼ全体が覆われるようにすると、軒樋４への枯葉等の侵入が融雪ネット２で阻止され、枯葉等により軒樋４の良好な排水性能が損なわれることがなくなるので望ましい。
【００３７】
図３は本発明の軒樋吊具の他の実施形態を示す斜視図である。
【００３８】
この軒樋吊具１０は、後端の取付片１ａから前方へ延びる軒樋支持アーム１ｂに、棒状体を嵌着するためのＵ字状の棒状体受部１ｃを脱着自在に設けたものである。即ち、Ｕ字状の棒状体受部１ｃの下端に下方へ延びる支持脚１ｈを一体形成すると共に、該支持脚１ｈの下端に重ね基板１ｉを一体形成し、この重ね基板１ｉを軒樋支持アーム１ｂに重ねて、ボルト１ｊと蝶ナット１ｋで脱着自在に締着固定している。そして、軒樋支持アーム１ｂの先端には軒樋の前耳支持部１ｆを形成すると共に、軒樋が強風で上方に煽られないように軒樋の底面を押さえる押さえ片１ｍを斜め下方へ突設し、また、軒樋支持アーム１ｂの後端近くには軒樋の後耳支持部１ｇを形成している。
【００３９】
このような軒樋吊具１０も、前記の軒樋吊具１と同様に軒先の破風板に取付けられて軒樋を吊持すると共に、Ｕ字状の棒状体受部１ｃを軒先から丸く垂れ下がった融雪ネットの網目に下方から挿入して棒状体を該棒状体受部１ｃに嵌着することにより、簡単かつ確実に融雪ネットを固定することができる。しかも、この軒樋吊具１０はＵ字状の棒状体受部１ｃが脱着自在であるため、該棒状体受部１ｃを取り外して普通の軒樋吊具として兼用できる利点があり、また、Ｕ字状の棒状体受部１ｃが破損しても容易に交換できる利点がある。
【００４０】
なお、図３に示す軒樋吊具１０では、軒樋支持アーム１ｂの下方からボルト１ｊを挿通し、棒状体受部１ｃの重ね基板１ｉの上側から蝶ナット１ｋで締着しているが、逆に、ボルト１ｊを重ね基板１ｉの上方から挿通し、軒樋支持アーム１ｂの下側から蝶ナット１ｋで締着するようにしてもよい。
【００４１】
図４は本発明に係るもう一つの融雪ネット固定構造の実施形態の説明図、図５は同固定構造に用いる棒状体支持具の斜視図である。
【００４２】
この融雪ネット固定構造は、軒先の破風板５に取付けた棒状体支持具７の先端のＵ字状の棒状体受部７ｃを、軒先の屋根６から丸く垂れ下がった融雪ネット２の下端部の網目に下方から挿入すると共に、この融雪ネット２の上側から棒状体として棒状ヒーター３を棒状体受部７ｃに嵌着することにより、融雪ネット２の下端部を全長にわたって棒状ヒーター３で押さえて固定したものである。
【００４３】
この棒状体支持具７は、軒樋吊具１１と同様のポリカーボネート等の合成樹脂で射出成形したものであって、図５に示すように、棒状体支持具７のアーム７ａの後端には取付片７ｂが形成され、アーム７ａの先端には棒状ヒーター３を嵌着するためのＵ字状の棒状体受部７ｃが上向きに形成されている。このＵ字状の棒状体受部７ｃも、前記軒樋吊具１，１０の棒状体受部１ｃと同様に、融雪ネット２の網目に挿入可能な大きさに形成されており、好ましくは棒状ヒーター３が浮き上がって外れることのないように棒状体受部１ｃの両側片の上端が斜め内側に曲げられる。
【００４４】
この棒状体支持具７は、軒樋吊具１１と別個に破風板５に取付けてもよいが、図４に示すように、後端の取付片７ｂを軒樋吊具１１の後端の取付片１ａに重ねて止具等で破風板５に一緒に取付けることが望ましく、このようにすると、軒樋吊具１１と棒状体支持具７の取付作業を同時に行うことができるため施工性が向上し、しかも、棒状体支持具７が単独で見えなくなるので体裁も向上する利点がある。
【００４５】
尚、軒樋吊具１１は、前述した軒樋吊具１の弓状ブリッジ部１ｄと棒状体受部１ｃを除去したものであり、この軒樋吊具１１によって吊持される軒樋４や、融雪ネット２や、棒状ヒーター３は前述のものと同じ構成であるので、説明を省略する。
【００４６】
上記の融雪ネット固定構造も、軒先に取付けた棒状体支持具７の先端の棒状体受部７ｃを融雪ネット２の網目に下方から挿入して該ネットの上側から棒状ヒーター３を棒状体受部７ｃに嵌着するだけの簡単な作業によって融雪ネット２を外れないように確実に固定することができ、棒状ヒーター３によって融雪効率が一層向上すると共に、融解された雪溶け水が融雪ネット２を伝うことにより融雪ネット２の最下端で発生しやすい氷柱も確実に防止することができる。そして、棒状体支持具７が折損した場合には、簡単に新しい棒状体支持具７と交換することもできる。
【００４７】
【発明の効果】
以上の説明から明らかなように、本発明の軒樋吊具や棒状体支持具を用いた本発明の融雪ネット固定構造は、融雪ネットを簡単かつ確実に固定できるので施工性が良く、融雪ネットを取り外す作業も容易に行うことができ、融雪ネットによって軒先の屋根の雪をすみやかに融解できるので融雪効率が良好であり、特に棒状体として棒状ヒーターを嵌着する場合は、融雪効率を一層高めると共に融雪ネットの最下端からの氷柱の発生を防止することができ、更に融雪ネットで軒樋の上端開口部のほぼ全体を覆う場合は、軒樋への枯葉等の侵入を阻止することもできる等、多くの優れた効果を奏する。
【図面の簡単な説明】
【図１】本発明に係る融雪ネット固定構造の一実施形態の説明図である。
【図２】本発明の軒樋吊具の一実施形態を示す斜視図である。
【図３】本発明の軒樋吊具の他の実施形態を示す斜視図である。
【図４】本発明に係るもう一つの融雪ネット固定構造の実施形態の説明図である。
【図５】本発明の棒状体支持具の一実施形態を示す斜視図である。
【符号の説明】
１，１０，１１  軒樋吊具
１ａ  取付片
１ｂ  軒樋支持アーム
１ｃ  棒状体受部
２  融雪ネット
３  棒状体としての棒状ヒーター
４  軒樋
６  軒先の屋根
７  棒状体支持具
７ａ  アーム
７ｂ  取付片
７ｃ  棒状体受部
【図１】
2005009269.tif 000003
【図２】
2005009269.tif 000004
【図３】
2005009269.tif 000005
【図４】
2005009269.tif 000006
【図５】
2005009269.tif 000007